(57)【特許請求の範囲】
【請求項１】
筒状の可撓部と、その可撓部の上流側に取り付け枠を取り付け、下流端の底面に浮子を取り付けた逆流防止装置において、筒状の可撓部の上流側の取り付け枠に、蝶番等の取り付け部材で押し込み防止用の格子を取り付けたことを特徴とする逆流防止装置。
【請求項２】
筒状の可撓部の底の部分が起き上り、逆流阻止状態になるとき、可撓部の押し込み防止用の格子に触れる部分の、底の一部を硬質にした請求項１記載の逆流防止装置。
【請求項３】
浮子は、浮力と大きさの違うものを多数用意しておきボルトやチャック等の取り付け部材によって、その浮力と大きさを容易に変えられる構造にした請求項１記載の逆流防止装置。
【請求項４】
浮子は、その左右両端に可動のアームを取り付け、そのアームの反対側端を取り付け枠の底部に取り付けた請求項１記載の逆流防止装置。
【発明の詳細な説明】
【０００１】
【発明の属する技術分野】
本発明は、例えば、河口の水門や取水口等に本装置を設ければ、水門の下流側の水位が上流側の水位よりも低ければ水流に依って浮子が押し沈められて放流し、逆に下流側の水位が上流側の水位よりも高くなれば浮子が水面上に顔を出し逆流を阻止する逆流防止装置（特許４３８５１７５号）を改良するため請求項各項に示す装置を付加するものです。
【０００２】
【従来の技術】
従来は、請求項１〜４に示す装置は付いていない筒状の可撓部と浮子を組合せた装置であった。
【０００３】
【発明が解決しようとする課題】
河川や水路の放流口とか取水口は規模の多様性に富み方々に多数点在し、人の常駐運転管理とか自動制御の設置管理が難しい場合が多く、また動力源の無い場所も多く、そして暴風雨や鳥獣害等の周辺環境も悪い場合が多い、そして漏水や逆流阻止が不十分な場合、無人のため発見が遅れることが多く被害も大きく成る、従ってそれらに耐えるより確実な動作をし完成度の高い装置が望まれて居る。
【０００４】
【課題を解決するための手段】
筒状の可撓部の底の部分は逆流阻止状態では下流側の水圧に押され取付け枠を越えて上流側に大きく押し込まれる、その押し込まれる量が大きいほど浮子は浮力を其れに食われ水面上に浮上する量が減少する、従って押し込みを防止する装置を設ける、その方法の一つとして可撓部の上流側に取り付けた取り付け枠に押し込み防止用の格子（図３）（図４（６））を設ける。
【０００５】
逆流阻止時に筒状の可撓部が上流側に押し込まれるのを防ぐ方法の一つとして筒状の可撓部の底の一部を硬質にする、大きさは押し込み力が働いて可撓部の底の部分が起き上がり取り付け枠を越えて上流側に押し込まれ様とする時硬質部が取り付け枠につかえて止る大きさとする、又押し込み防止用格子と組み合わせて使用する場合には格子に触れる部分の広さを硬質のものにした完成度の高い逆流防止装置
【０００６】
筒状の可撓部等の下流端に取り付けられる浮子は浮力が大き過ぎると順流時に流れを一部妨げる様に働き、浮力が小さ過ぎると逆流阻止時に浮き上がり量が不足する相反する性質がある、従って水深や水流、風波等の周囲環境により浮力の違う浮子に取り替えられる様にしたりして浮力が手動で容易に調整出来る様にするとより信頼度が増す装置となる、従って筒部と浮子を容易に取り替えられる接合（図５（１０）（１１））等にする。
【０００７】
本装置が逆流阻止状態になる時には、浮子が浮上しその浮子が下流側水圧により取り付け枠側に移動し且つ押し込められるような力が働く、その移動押し込め力を利用出来る様に、浮子の左右両端に軸（図６（１３））を設けその軸を介して取り付け枠の下部に設けた可動軸（図６（１４））に向かって突っかい棒の様に作用するアーム（図６（１２））を設けそれで浮子を支え移動押し込み力を浮子の浮上力に変換し、より大きな浮上量が確実に得られるようにする。
【０００８】
【発明の実施の形態】
格子は耐触性と強度を有する材料（例えばアルミ、ステンレス、鋼材入りプラスチック、ＦＲＰ等以下同じ）で作り、可撓部に接して上流側に取り付ける取り付け枠に取り付けるがごみ等が引っ掛かる恐れのある場合には格子の上部を蝶番（図３（８））（図４（８））等で取り付け枠に取り付け下流側に開くような構造にし、横格子は板状の物を順流によって格子の下部が上に押上げられる様に順流に向かって角度を設けて取り付ける、それでごみが格子に引っ掛かるのを防ぐと共に順流抵抗を減ずる、順流が止まれば格子は自重で垂直に下がるが、バネ等の弾性体で垂直に押し戻す力を加える様にしても良い。
【０００９】
筒状の可撓部の底の一部を硬質化するにはその部分を硬質の材料で裏打ちする、又はその部分に硬質の心材を入れるか、その部分だけ基材を硬質化しても良い。尚硬質化した部分の取り付け枠側端部には順流と直角の方向に位置安定用の軸（図４図６（１６））を通しその軸を取り付け枠に設けた可動アーム（図６（１２））で支え、硬質化部と取り付け枠の間の可撓部に逆流阻止時に無理な力が加わらないように保護すると共に硬質化部が正確に押し込み防止のため取付け枠につかえて止まるようにする。
【００１０】
浮子は浮力と大きさの違う物を多数用意して置き浮子と筒との接合部は容易に取り替えられる様にボルトやチャック（衣服とか袋に使用する大型のもの）等にする。又浮子本体は固着して置いて、その浮子に複数個の空気袋を設け、その各空気袋に空気吹き込み口（例えば球技用ボール等の空気吹き込み口のような物）を設けその都度手動で空気を吹き込んで浮力を調整するようにしても良い。
【００１１】
可動アーム（図６（１２））は左右一対を耐蝕性と強度を有する材料で作り中間部に伸縮自在部（図６（１５））を設ける、そして水深等に対応して長さを調整出来るようにする、自在部は外筒の中に中筒を入れ外筒に中筒締め付け用のリングを設けるとか、外筒と中筒に多数の孔をあけ其れにピンを通す様にして長さを調節しても良い。
【００１２】
取付け枠は水田の取水口程度のものではプラスチック製の深型の植木鉢の頑丈な物の底を切り取ったような構造の物を加工して使用しても良いし、又鋼材を芯にしてプラスチックで成形したものやＦＲＰで作った物でも良い。尚大型の物では各種の鋼材で作ったもの、小型の物ではプラスチックで作った物でも良い。
【００１３】
本装置は水路ばかりでなく種々の液体、比重の大きな気体や粉体等の各種流体にも応用出来る、又規模も大きな河口水門から小は実験室での小型の試験装置内に組み込まれるものまで応用できる。
【００１４】
【発明の効果】
本発明は以上説明した様に構成されているので、無人で全自動で無動力なのでいろんな場所に広範囲にしかも容易に設置できる。
【００１５】
逆流阻止時に筒状の可撓部が上流側に押し込まれるのを防ぐため防止用の格子を設けたり、可撓部の底の部分を一部硬質化することで、より大きな波浪や不測の衝撃流波に対しても耐え所定の浮き上がり量を維持できるので安全性が増す。
【００１６】
浮子が自由に変えられることで適応力が増し流体の種類や多様な液深や流速に容易に対応でき細かい調整が可能になる。
【００１７】
突っかい棒の作用をする可動アームを設ける事で浮上量が増し且つより確実に所要の浮上量を確保出来るので、適応できる液種や液深や流速が増し、従来より、より環境条件の悪い所にも適用出来る様になると共に動作の確実性が向上する。
【図面の簡単な説明】
【図１】  折りたたみ用の折り目を設けた逆流防止装置の平面図である。
【図２】  筒状の可撓部の下流端が逆流阻止時に閉じた状態に成ったものを、端部の正面から端部部分のみ取り上げて書いた正面図である。
【図３】  押し込み防止用の格子の正面図である。
【図４】  筒状の可撓部の底の一部分を硬質にした逆流防止装置の立面図である。
【図５】  浮子を取り替えられる様にした逆流防止装置の立面図である。
【図６】  突っかい棒の作用をする可動アームを取り付けた逆流防止装置の立面図（逆流阻止状態に成りつつある７０％ほど閉じた状態）である。
【符号の説明】
１    取付け枠
２    可撓部
３    浮子
４    端部の折り目
５    中間部の折り目
６    押し込み防止用の格子の外枠
７    押し込み防止用の格子の横格子
８    押し込み防止用の格子の取り付け用蝶番
９    筒状の可撓部の底の一部を硬質化した部分
１０    浮子の接合部の取り替え用チャック
１１    浮子の接合部の取り替え用ボルト
１２    突っかい棒の作用をする可動アーム
１３    浮子に取り付けた軸
１４    可動アームを取り付け枠で支える軸
１５    可動アームの伸縮装置
１６    筒状の可撓部の底の硬質化した部分の位置安定用の軸
【図１】
0004724790.tif 000002
【図２】
0004724790.tif 000003
【図３】
0004724790.tif 000004
【図４】
0004724790.tif 000005
【図５】
0004724790.tif 000006
【図６】
0004724790.tif 000007